(57)【要約】【課題】  本発明は、通信装置等を収容するための電子機器用キャビネットに関し、キャビネット内に収容される電子機器を効率的に冷却することを目的とする。【解決手段】  プリント板収容棚に収容されるプリント板に接続されるケーブルをプリント板収容棚の前方から導出するとともに、キャビネット本体の側面の内側に沿ってケーブル収容空間を形成し、ケーブル収容空間に、ケーブルを収容してなることを特徴とする。【選択図】    図１
2005209702.tif 000002
【特許請求の範囲】
【請求項１】
キャビネット本体の前面を開閉扉により覆い、キャビネット本体内に上下方向に間隔を置いてプリント板を収容するプリント板収容棚を配置するとともに、前記プリント板収容棚の間に熱反射部材を配置し、前記開閉扉の開口部から流入した外部空気を前記プリント板収容棚を通過させて、通過した空気を前記キャビネット本体の背面の内側に沿って形成される排気空間を上昇させて前記キャビネット本体の上部から前記キャビネット本体外に排気する電子機器用キャビネットにおいて、
前記プリント板収容棚に収容されるプリント板に接続されるケーブルを前記プリント板収容棚の前方から導出するとともに、前記キャビネット本体の側面の内側に沿ってケーブル収容空間を形成し、前記ケーブル収容空間に、前記ケーブルを収容してなることを特徴とする電子機器用キャビネット。
【請求項２】
請求項１記載の電子機器用キャビネットにおいて、
前記キャビネット本体の側面の奥側に、前記プリント板収容棚を支持するための取付支柱を上下方向に沿って固定し、前記取付支柱の前方を前記ケーブル収容空間としてなることを特徴とする電子機器用キャビネット。
【請求項３】
請求項１または請求項２記載の電子機器用キャビネットにおいて、
前記ケーブル収容空間に、前記ケーブルをケーブル収容空間の奥側に保持するためのケーブル保持手段を配置してなることを特徴とする電子機器用キャビネット。
【請求項４】
請求項３記載の電子機器用キャビネットにおいて、
前記ケーブル保持手段は、
前記キャビネット本体側に固定される案内部材と、
前記案内部材に沿って移動可能なスライド部材と、
前記スライド部材を前記案内部材に固定する固定手段と、
を有することを特徴とする電子機器用キャビネット。
【請求項５】
請求項１ないし請求項４のいずれか１項記載の電子機器用キャビネットにおいて、
前記排気空間に、強制排気用のファンを配置してなることを特徴とする電子機器用キャビネット。
【請求項６】
請求項１ないし請求項５のいずれか１項記載の電子機器用キャビネットにおいて、
前記熱反射部材を、断熱構造としてなることを特徴とする電子機器用キャビネット。
【請求項７】
請求項６記載の電子機器用キャビネットにおいて、
前記熱反射部材は、上板部材の上面と下板部材の下面とを間隔を置いて配置してなることを特徴とする電子機器用キャビネット。
【請求項８】
請求項１ないし請求項７のいずれか１項記載の電子機器用キャビネットにおいて、
前記開閉扉に、開閉扉の閉時に前記キャビネット本体の前部に係合し前記キャビネット本体を補強する補強手段を設けてなることを特徴とする電子機器用キャビネット。
【請求項９】
請求項８記載の電子機器用キャビネットにおいて、
前記補強手段は、開閉扉の上下方向に間隔を置いて形成される突出部または凹部を、前記キャビネット本体の前部に形成される凹部または突出部に係合してなることを特徴とする電子機器用キャビネット。
【請求項１０】
請求項３ないし請求項６のいずれか１項記載の電子機器用キャビネットにおいて、
前記プリント板収容棚の側面に、前記取付支柱に着脱自在に固定される支持部材を固定するとともに、前記支持部材に前記熱反射部材および前記ケーブル保持手段を固定してなることを特徴とする電子機器用キャビネット。
【発明の詳細な説明】
【技術分野】
【０００１】
本発明は、通信装置等を収容するための電子機器用キャビネットに係わり、特に、放熱性能を向上した電子機器用キャビネットに関する。
【背景技術】
【０００２】
近時、キャビネット内に収容される電子機器の高密度実装化、あるいは発熱量の増大により、キャビネット内の冷却が重要な課題になっている。
図８および図９は、従来の電子機器用キャビネットを示すもので、この電子機器用キャビネットでは、キャビネット本体１１の前面が開閉扉１３により覆われている。キャビネット本体１１内には、図８に示すように、上下方向に間隔を置いてプリント板を収容するプリント板収容棚１５が配置されている。プリント板収容棚１５の間には、熱反射板１７が配置されている。
【０００３】
プリント板収容棚１５は、図９に示すように、キャビネット本体１１の側面部の前側に固定される取付支柱１９に固定されている。取付支柱１９には、ケーブル２１を保持するためのケーブル保持部材２３が固定されている。そして、プリント板収容棚１５に収容されるプリント板に接続されるケーブル２１がプリント板収容棚１５の後部から、排気空間２５に導出されている。
【０００４】
この電子機器用キャビネットでは、図８に矢符で示すように、開閉扉１３の開口部１３ａから流入した外部空気が、プリント板収容棚１５を通過し、通過した空気が、キャビネット本体１１の背面部から流入する外部空気と合流し、排気空間２５を上昇して、キャビネット本体１１の天井部の排気口１１ａからキャビネット本体１１外に排気され、プリント板の冷却が行われる。
【０００５】
なお、従来、キャビネット内の冷却性能を高めたキャビネットの冷却構造として、例えば、特開平９−１１６２８７号公報に開示されるものが知られている。
この公報のキャビネットの冷却構造では、キャビネットの背面の内側に沿って排気空間が形成されている。そして、キャビネットの上下方向に間隔を置いて配置されるシェルフの後部の排気空間への突出部の長さが、上方になるに従い小さくされている。
【０００６】
このキャビネットの冷却構造では、下方のシェルフを通過した空気が、上方のシェルフに妨げられることなく排気空間を上昇し、キャビネットの上部から排気されるため、冷却性能を向上することができる。
【特許文献１】特開平９−１１６２８７号公報
【発明の開示】
【発明が解決しようとする課題】
【０００７】
しかしながら、図８および図９に示した構造の従来の電子機器用キャビネットでは、キャビネット本体１１の背面の内側に沿って形成される排気空間２５に、ケーブル２１を収容しているため、排気空間２５がケーブル２１により塞がれ、キャビネット本体１１内で昇温された空気の上方への流れが阻害され冷却性能が低下するという問題があった。
すなわち、近時、キャビネット内に収容される電子機器の高密度実装化に伴いケーブル２１の本数が増大し、一方、キャビネットの設置面積を低減するためにキャビネットの小型化が要望されており、排気空間２５に配置されるケーブル２１の密度が極端に増大している。
【０００８】
本発明は、かかる従来の問題を解決するためになされたもので、キャビネット内に収容される電子機器を効率的に冷却することができる電子機器用キャビネットを提供することを目的とする。
【課題を解決するための手段】
【０００９】
請求項１の電子機器用キャビネットは、キャビネット本体の前面を開閉扉により覆い、キャビネット本体内に上下方向に間隔を置いてプリント板を収容するプリント板収容棚を配置するとともに、前記プリント板収容棚の間に熱反射部材を配置し、前記開閉扉の開口部から流入した外部空気を前記プリント板収容棚を通過させて、通過した空気を前記キャビネット本体の背面の内側に沿って形成される排気空間を上昇させて前記キャビネット本体の上部から前記キャビネット本体外に排気する電子機器用キャビネットにおいて、前記プリント板収容棚に収容されるプリント板に接続されるケーブルを前記プリント板収容棚の前方から導出するとともに、前記キャビネット本体の側面の内側に沿ってケーブル収容空間を形成し、前記ケーブル収容空間に、前記ケーブルを収容してなることを特徴とする。
【００１０】
請求項２の電子機器用キャビネットは、請求項１記載の電子機器用キャビネットにおいて、前記キャビネット本体の側面の奥側に、前記プリント板収容棚を支持するための取付支柱を上下方向に沿って固定し、前記取付支柱の前方を前記ケーブル収容空間としてなることを特徴とする。
請求項３の電子機器用キャビネットは、請求項１または請求項２記載の電子機器用キャビネットにおいて、前記ケーブル収容空間に、前記ケーブルをケーブル収容空間の奥側に保持するためのケーブル保持手段を配置してなることを特徴とする。
【００１１】
請求項４の電子機器用キャビネットは、請求項３記載の電子機器用キャビネットにおいて、前記ケーブル保持手段は、前記キャビネット本体側に固定される案内部材と、前記案内部材に沿って移動可能なスライド部材と、前記スライド部材を前記案内部材に固定する固定手段とを有することを特徴とする。
請求項５の電子機器用キャビネットは、請求項１ないし請求項４のいずれか１項記載の電子機器用キャビネットにおいて、前記排気空間に、強制排気用のファンを配置してなることを特徴とする。
【００１２】
請求項６の電子機器用キャビネットは、請求項１ないし請求項５のいずれか１項記載の電子機器用キャビネットにおいて、前記熱反射部材を、断熱構造としてなることを特徴とする。
請求項７の電子機器用キャビネットは、請求項６記載の電子機器用キャビネットにおいて、前記熱反射部材は、上板部材の上面と下板部材の下面とを間隔を置いて配置してなることを特徴とする。
【００１３】
請求項８の電子機器用キャビネットは、請求項１ないし請求項７のいずれか１項記載の電子機器用キャビネットにおいて、前記開閉扉に、開閉扉の閉時に前記キャビネット本体の前部に係合し前記キャビネット本体を補強する補強手段を設けてなることを特徴とする。
請求項９の電子機器用キャビネットは、請求項８記載の電子機器用キャビネットにおいて、前記補強手段は、開閉扉の上下方向に間隔を置いて形成される突出部または凹部を、前記キャビネット本体の前部に形成される凹部または突出部に係合してなることを特徴とする。
【００１４】
請求項１０の電子機器用キャビネットは、請求項３ないし請求項６のいずれか１項記載の電子機器用キャビネットにおいて、前記プリント板収容棚の側面に、前記取付支柱に着脱自在に固定される支持部材を固定するとともに、前記支持部材に前記熱反射部材および前記ケーブル保持手段を固定してなることを特徴とする電子機器用キャビネット。
（作用）
請求項１の電子機器用キャビネットでは、プリント板収容棚に収容されるプリント板に接続されるケーブルが、プリント板収容棚の前方から導出される。そして、導出されたケーブルが、キャビネット本体の側面の内側に沿って形成されるケーブル収容空間に収容される。
【００１５】
従って、キャビネット本体の背面の内側に沿って形成される排気空間には、ケーブルが存在しない、あるいは、存在しても僅かとなり、プリント板収容棚を通過する間に昇温された空気の上方への流れがケーブルにより阻害されることがなくなる。
請求項２の電子機器用キャビネットでは、キャビネット本体の側面の奥側に、プリント板収容棚を支持するための取付支柱が上下方向に沿って固定される。そして、取付支柱の前方に、比較的広いケーブル収容空間が形成される。
【００１６】
請求項３の電子機器用キャビネットでは、ケーブル収容空間にケーブル保持手段が配置される。そして、ケーブル保持手段により、プリント板収容棚の前方から導出されたプリント板のケーブルが、ケーブル収容空間の比較的奥側に保持される。
請求項４の電子機器用キャビネットでは、キャビネット本体側に固定される案内部材の前側にスライド部材を位置させた状態で、プリント板収容棚の前方から導出されたプリント板のケーブルが、キャビネット本体の側面と案内部材との間のケーブル収容空間に収容される。そして、ケーブルの収容後に、案内部材に沿ってスライド部材を奥側に移動し、固定手段によりスライド部材を案内手段に固定することにより、ケーブルがケーブル収容空間に保持される。
【００１７】
請求項５の電子機器用キャビネットでは、排気空間に、強制排気用のファンが配置される。そして、ファンにより、排気空間からキャビネット本体外への排気が促進される。
請求項６の電子機器用キャビネットでは、熱反射部材が、断熱構造とされる。そして、熱反射部材の下方に配置されるプリント板収容棚内のプリント板の発熱により熱反射部材の下側が高温になっても、熱反射部材の上側が高温になることが防止される。従って、熱反射部材の上側に流入した外部空気が、熱反射部材の前部において高温になることが防止される。
【００１８】
請求項７の電子機器用キャビネットでは、熱反射部材が、上板部材と下板部材とを間隔を置いて配置して構成される。そして、上板部材と下板部材との間の空気層により断熱が行われる。
請求項８の電子機器用キャビネットでは、開閉扉に、開閉扉の閉時にキャビネット本体の前部に係合しキャビネット本体を補強する補強手段が設けられる。すなわち、本発明では、キャビネット本体の側面に沿ってケーブル収容空間が形成されるため、このケーブル収容空間に補強部材を固定してキャビネット本体の強度を維持することが困難になる。しかしながら、開閉扉の閉時にキャビネット本体の前部に係合する補強手段を設けることにより、キャビネット本体の前部の強度が補強され、キャビネット本体の側面が変形することが防止される。
【００１９】
請求項９の電子機器用キャビネットでは、補強手段が、開閉扉の上下方向に間隔を置いて形成される突出部または凹部を、キャビネット本体の前部に形成される凹部または突出部に係合して構成される。
請求項１０の電子機器用キャビネットでは、プリント板収容棚の側面に固定される支持部材に、熱反射部材およびケーブル保持手段が固定され、プリント板収容棚，熱反射部材およびケーブル保持手段が一体のユニットとされる。そして、キャビネット本体の側面の奥側に固定される取付支柱に、支持部材を装着することにより、プリント板収容棚，熱反射部材およびケーブル保持手段がユニットとして取付支柱に固定される。
【発明の効果】
【００２０】
請求項１の電子機器用キャビネットでは、プリント板収容棚に収容されるプリント板に接続されるケーブルをプリント板収容棚の前方から導出するとともに、キャビネット本体の側面の内側に沿ってケーブル収容空間を形成し、ケーブル収容空間に、ケーブルを収容したので、キャビネット本体の背面の内側に沿って形成される排気空間には、ケーブルが存在しない、あるいは、存在しても僅かとなり、プリント板収容棚を通過する間に昇温された空気の上方への流れがケーブルにより阻害されることがなくなり、これにより、キャビネット内に収容される電子機器を効率的に冷却することができる。
【００２１】
請求項２の電子機器用キャビネットでは、キャビネット本体の側面の奥側に、プリント板収容棚を支持するための取付支柱を上下方向に沿って固定し、取付支柱の前方をケーブル収容空間としたので、比較的広いケーブル収容空間を容易，確実に得ることができる。
請求項３の電子機器用キャビネットでは、ケーブル収容空間に、ケーブルをケーブル収容空間の奥側に保持するためのケーブル保持手段を配置したので、プリント板収容棚の前方から導出されたプリント板のケーブルをケーブル収容空間に確実に保持することができる。
【００２２】
請求項４の電子機器用キャビネットでは、ケーブルを、キャビネット本体の側面と案内部材との間のケーブル収容空間に収容した後に、案内部材に沿ってスライド部材を奥側に移動することにより、ケーブルを容易，確実に保持することができる。
請求項５の電子機器用キャビネットでは、排気空間に、強制排気用のファンを配置したので、排気空間からキャビネット本体外への排気が促進され、これにより、冷却効率をより向上することができる。
【００２３】
請求項６の電子機器用キャビネットでは、熱反射部材を、断熱構造としたので、熱反射部材の上側に流入した外部空気が、熱反射部材の前部において高温になることを有効に防止することができる。
請求項７の電子機器用キャビネットでは、熱反射部材を、上板部材と下板部材とを間隔を置いて配置して構成したので、上板部材と下板部材との間の空気層により高い断熱効果を得ることができる。
【００２４】
請求項８の電子機器用キャビネットでは、開閉扉に、開閉扉の閉時にキャビネット本体の前部に係合しキャビネット本体を補強する補強手段を設けたので、キャビネット本体の側面が変形することを有効に防止することができる。
請求項９の電子機器用キャビネットでは、補強手段を、開閉扉の上下方向に間隔を置いて形成される突出部または凹部を、キャビネット本体の前部に形成される凹部または突出部に係合して構成したので、高い補強効果を得ることができるとともに、開閉扉の開閉を容易，確実に行うことができる。
【００２５】
請求項１０の電子機器用キャビネットでは、プリント板収容棚，熱反射部材およびケーブル保持手段を一体のユニットとして取付支柱に固定するようにしたので、キャビネット本体に、プリント板収容棚，熱反射部材およびケーブル保持手段を容易，確実に取り付けることができる。
【発明を実施するための最良の形態】
【００２６】
以下、本発明の詳細を図面に示す実施形態について説明する。
図１および図２は、本発明の電子機器用キャビネットの一実施形態を示している。
この実施形態では、本発明が、通信装置、例えば、自営網ユーザー向けアクセスネットワーク光多重伝送装置用のキャビネットに適用される。
図１および図２において、符号３１は、キャビネット本体を示している。
【００２７】
このキャビネット本体３１は、上下方向に長い直方体状をしており鉄等の金属あるいは樹脂により形成されている。
キャビネット本体３１は、背面部３１ａ，側面部３１ｂおよび天井部３１ｃを有しており、架台３３上に載置されている。
キャビネット本体３１の前面は開口され、開閉扉３５が開閉自在に配置されている。開閉扉３５には、開閉用の把手３７が設けられている。
【００２８】
キャビネット本体３１内には、図２に示すように、上下方向に間隔を置いて複数のプリント板収容棚３９が配置されている。
そして、プリント板収容棚３９の間に熱反射部材４１が配置されている。なお、最上段のプリント板収容棚３９の上方には、熱反射部材４１Ａが配置されている。この熱反射部材４１Ａは、キャビネット本体３１の天井部３１ｃに溶接等により固定されている。また、最下段のプリント板収容棚３９の下方には、熱反射部材４１は配置されていない。
【００２９】
そして、開閉扉３５には、プリント板収容棚３９の下方に配置される熱反射部材４１の前方となる位置、および、最下段のプリント板収容棚３９の下方となる位置に、外部空気を導入するための開口部３５ａが形成されている。
プリント板収容棚３９には、水平方向に間隔を置いて複数のプリント板４３（図３に示す）が収容されている。プリント板４３には、コネクタ４５を介してケーブル４７が接続されている。ケーブル４７は、通常の信号ケーブル，光ケーブル等からなりプリント板収容棚３９の前方から導出されている。
【００３０】
この実施形態では、キャビネット本体３１の背面部３１ａの内側に沿って排気空間４９が形成されている。この排気空間４９は、略断面矩形状をしており、キャビネット本体３１の背面部３１ａに沿ってダクト状に形成されている。排気空間４９の上方の天井部３１ｃには、排気口５１が開口されている。排気空間４９の排気口５１の下側近傍および中間部には、強制排気用のファン５３，５５が配置されている。
【００３１】
そして、図１に示すように、キャビネット本体３１の側面部３１ｂとプリント板収容棚３９との間にケーブル収容空間５７が形成されている。このケーブル収容空間５７は、略断面矩形状をしており、側面部３１ｂの内側に沿って上下方向に連続して形成されている。このケーブル収容空間５７には、プリント板収容棚３９の前方から導出されたケーブル４７が収容可能とされている。
【００３２】
この実施形態では、キャビネット本体３１の側面部３１ｂの奥側には、プリント板収容棚３９を支持するための取付支柱５９が上下方向に沿って固定されている。そして、取付支柱５９の前方がケーブル収容空間５７とされている。
ケーブル収容空間５７には、ケーブル４７をケーブル収容空間５７の奥側に保持するためのケーブル保持手段６１が配置されている。
【００３３】
この実施形態では、図２に示す最下段のプリント板収容棚３９を除いて、プリント板収容棚３９，熱反射部材４１およびケーブル保持手段６１がユニットとして取付支柱５９に固定されている。
図３は、ユニット６３の詳細を示すもので、符号３９は、直方体状のプリント板収容棚を示している。このプリント板収容棚３９には、水平方向に間隔を置いてプリント板４３が垂直に収容されている。プリント板４３の前部には、コネクタ４５を介してケーブル４７が接続されている。
【００３４】
プリント板収容棚３９の両側面には、支持部材６５が固定されている。支持部材６５は、断面Ｌ字状をしており、プリント板収容棚３９の奥側に上下方向に固定されている。この支持部材６５は、図１に示すように、キャビネット本体３１の側面部３１ｂの奥側に固定される取付支柱５９に着脱自在に固定可能とされている。支持部材６５は、プリント板収容棚３９から下方に突出されている。支持部材６５の下部には、熱反射部材４１が配置されている。
【００３５】
この実施形態では、熱反射部材４１は、上板部材６７と下板部材６９とからなる断熱構造とされている。上板部材６７の上面６７ａは、前方に向けて下方に傾斜されている。そして、上板部材６７の両側面６７ｂは、直角三角形形状とされている。上板部材６７の下方は開口されている。上板部材６７は、上面の後縁がプリント板収容棚３９の下面に当接するように、支持部材６５に溶接等により固定されている。
【００３６】
下板部材６９は、図３の（ｂ）に示すように、上方が開口する直方体形状とされている。下板部材６９の上縁には、外方に突出する縁部６９ａが形成されている。この下板部材６９は、図３の（ａ）に点線で示すように、縁部６９ａを上板部材６７の上面６７ａに溶接等により固定されている。そして、上板部材６７の上面６７ａと下板部材６９の下面６９ｂとの間に空気層が形成されている。
【００３７】
プリント板収容棚３９と熱反射部材４１との間には、ケーブル保持手段６１が配置されている。
このケーブル保持手段６１は、案内部材７１およびスライド部材７３を有している。
案内部材７１は、長尺板状をしており、後端に形成される取付部７１ａが、ビス７５により支持部材６５に固定されている。案内部材７１には、スライド部材７３が案内部材７１に沿って摺動自在に配置されている。
【００３８】
スライド部材７３は、図４に示すように、ケーブル４７を押圧しケーブル収容空間５７に収容するための押圧部７３ａを有している。この押圧部７３の前端には、図５に示すように、案内部材７１が嵌挿される摺動部７３ｂが一体形成されている。
摺動部７３ｂには、スライド部材７３を指により摺動するための把持部材７５が固定されている。この把持部材７５の前端には、指掛け部７５ａが形成されている。把持部材７５は、バネ材または樹脂等のバネ性を有する材質により形成されている。
【００３９】
把持部材７５には、案内部材７１側にピン部材７７が固定されている。このピン部材７７は、案内部材７１の長手方向に間隔を置いて形成されるピン穴７１ａに挿入可能とされている。そして、図４に示すように、ピン穴７１ａにピン部材７７が挿入された状態で、把持部材７５の指掛け部７５ａを案内部材７１と反対側に矢符Ａ方向に押圧すると把持部材７５が弾性変形し、ピン部材７７がピン穴７１ａから離脱する。これにより、スライド部材７３が案内部材７１に沿って移動可能になり、スライド部材７３を所定位置まで移動することにより、ピン部材７７が案内部材７１の奥側のピン穴７１ａに挿入され固定される。
【００４０】
なお、この実施形態では、スライド部材７３を案内部材７１に固定する固定手段が、把持部材７５，ピン部材７７および案内部材７１のピン穴７１ａにより構成されている。
図６は、キャビネット本体３１の前側の開口部に配置される開閉扉３５の詳細を示している。
開閉扉３５の一側には、ヒンジ部７９が形成され、開閉扉３５がキャビネット本体３１に回動自在に支持されている。そして、開閉扉３５およびキャビネット本体３１には、開閉扉３５の閉時にキャビネット本体３１の前部に係合しキャビネット本体３１を補強する補強手段８１が設けられている。
【００４１】
この実施形態では、開閉扉３５の両側には、内側に折曲する折曲部３５ｂが形成され、この折曲部３５ｂの内側に補強部材８３が溶接等により固定されている。補強部材８３は、開閉扉３５の上下方向に沿って形成されている。補強部材８３には、上下方向に間隔を置いて突出部であるピン部材８５が固定されている。このピン部材８５は、先端に向けて小径となるテーパ状に形成されている。
【００４２】
一方、キャビネット本体３１の開口部の両側には、断面Ｌ字状の折曲部３１ｄが形成されている。この折曲部３１ｄの前面には、開閉扉３５の補強部材８３に配置されるピン部材８５に対向する位置に受け部材８７が固定されている。受け部材８７には、ピン部材８５が嵌挿される凹部８７ａが形成されている。
上述した電子機器用キャビネットでは、図２に示したように、開閉扉３５の開口部３５ａから流入した外部空気が、矢符で示すようにプリント板収容棚３９を通過し、通過した空気がキャビネット本体３１の背面部３１ａの内側に沿って形成される排気空間４９を上昇し、キャビネット本体３１の天井部３１ｃの排気口５１からキャビネット本体３１外に排気され、プリント板収容棚３９に配置されるプリント板４３の冷却が行われる。
【００４３】
そして、プリント板収容棚３９に収容されるプリント板４３にコネクタ４５を介して接続されるケーブル４７が、図７に示すように、プリント板収容棚３９の前方から導出され、導出されたケーブル４７が、キャビネット本体３１の側面の内側に沿って形成されるケーブル収容空間５７に収容される。そして、この実施形態では、ケーブル収容空間５７に収容されたケーブル４７は、下方に導かれ、架台３３の前方から導出される。
【００４４】
上述した電子機器用キャビネットでは、プリント板収容棚３９に収容されるプリント板４３に接続されるケーブル４７をプリント板収容棚３９の前方から導出するとともに、キャビネット本体３１の側面の内側に沿ってケーブル収容空間５７を形成し、ケーブル収容空間５７に、ケーブル４７を収容したので、キャビネット本体３１の背面部３１ａの内側に沿って形成される排気空間４９には、ケーブル４７が存在しない、あるいは、存在しても僅かとなり、プリント板収容棚３９を通過する間に昇温された空気の上方への流れがケーブル４７により阻害されることがなくなり、これにより、キャビネット内に収容される電子機器を効率的に冷却することができる。
【００４５】
そして、キャビネット本体３１の背面部３１ａの内側に沿って形成される排気空間４９が、排気専用のダクト構造とされるため、キャビネット本体３１の背面部３１ａを建物の壁８９に当接し、あるいは、キャビネット本体３１の背面部３１ａを相互に当接しても安定した放熱性能を確保することができる。
また、上述した電子機器用キャビネットでは、キャビネット本体３１の側面部３１ｂの奥側に、プリント板収容棚３９を支持するための取付支柱５９を上下方向に沿って固定し、取付支柱５９の前方をケーブル収容空間５７としたので、比較的広いケーブル収容空間５７を容易，確実に得ることができる。
【００４６】
そして、上述した電子機器用キャビネットでは、ケーブル収容空間５７に、ケーブル４７をケーブル収容空間５７の奥側に保持するためのケーブル保持手段６１を配置したので、プリント板収容棚３９の前方から導出されたプリント板４３のケーブル４７をケーブル収容空間５７に確実に保持することができる。
また、ケーブル４７を、キャビネット本体３１の側面部３１ｂと案内部材７１との間のケーブル収容空間５７に収容した後に、案内部材７１に沿ってスライド部材７３を奥側に移動することにより、ケーブル４７を容易，確実に保持することができる。
【００４７】
そして、上述した電子機器用キャビネットでは、排気空間４９に、強制排気用のファン５３，５５を配置したので、排気空間４９からキャビネット本体３１外への排気が促進され、これにより、冷却効率をより向上することができる。
また、熱反射部材４１を、断熱構造としたので、熱反射部材４１の上側に流入した外部空気が、熱反射部材４１の前部において高温になることを有効に防止することができる。
【００４８】
すなわち、熱反射部材４１の下方に配置されるプリント板収容棚３９内のプリント板４３の発熱により熱反射部材４１の下側が高温になっても、熱反射部材４１の上側が高温になることが防止され、これにより、熱反射部材４１の上側に流入した外部空気が、熱反射部材４１の前部において高温になることが防止される。
そして、熱反射部材４１を、上板部材６７と下板部材６９とを間隔を置いて配置して構成したので、上板部材６７と下板部材６９との間の空気層により高い断熱効果を得ることができる。
【００４９】
さらに、上述した電子機器用キャビネットでは、開閉扉３５に、開閉扉３５の閉時にキャビネット本体３１の前部に係合しキャビネット本体３１を補強する補強手段８１を設けたので、キャビネット本体３１の側面部３１ｂが変形することを有効に防止することができる。
すなわち、本発明では、キャビネット本体３１の側面部３１ｂに沿ってケーブル収容空間５７が形成されるため、このケーブル収容空間５７に補強部材を固定してキャビネット本体３１の強度を維持することが困難になる。しかしながら、開閉扉３５の閉時にキャビネット本体３１の前部に係合する補強手段８１を設けることにより、キャビネット本体３１の前部の強度が補強され、キャビネット本体３１の側面部３１ｂが変形することが防止される。
【００５０】
そして、補強手段８１を、開閉扉３５の上下方向に間隔を置いて形成されるピン部材８５を、キャビネット本体３１の前部に形成される受け部材８７に係合して構成したので、高い補強効果を得ることができるとともに、開閉扉３５の開閉を容易，確実に行うことができる。
さらに、上述した電子機器用キャビネットでは、プリント板収容棚３９，熱反射部材４１およびケーブル保持手段６１を一体のユニット６３として取付支柱５９に固定するようにしたので、キャビネット本体３１に、プリント板収容棚３９，熱反射部材４１およびケーブル保持手段６１を容易，確実に取り付けることができる。
【００５１】
なお、上述した実施形態では、プリント板収容棚３９の側面部３１ｂの後端より多少前側に支持部材６５を固定した例について説明したが、本発明はかかる実施形態に限定されるものではなく、プリント板収容棚３９の側面部３１ｂの後端に支持部材６５を配置しても良い。
また、上述した実施形態では、開閉扉３５側にピン部材８５を固定しキャビネット本体３１側に受け部材８７を固定して補強手段８１を構成した例について説明したが、本発明はかかる実施形態に限定されるものではなく、開閉扉３５側に受け部材８７を固定しキャビネット本体３１側にピン部材８５を固定しても良い。
【図面の簡単な説明】
【００５２】
【図１】本発明の電子機器用キャビネットの一実施形態を示す横断面図である。
【図２】図１の縦断面図である。
【図３】図１のユニットを示す斜視図である。
【図４】図１のケーブル保持手段を示す上面図である。
【図５】図１のケーブル保持手段を示す斜視図である。
【図６】図１の開閉扉に配置される補強手段を示す説明図である。
【図７】ケーブル収容空間内のケーブルの配置状態を示す説明図である。
【図８】従来の電子機器用キャビネットを示す説明図である。
【図９】図８の横断面図である。
【符号の説明】
【００５３】
３１  キャビネット本体
３１ａ  背面部
３１ｂ  側面部
３１ｃ  天井部
３３  架台
３５  開閉扉
３５ａ  開口部
３９  プリント板収容棚
４１  熱反射部材
４３  プリント板
４７  ケーブル
４９  排気空間
５１  排気口
５３，５５  ファン
５７  ケーブル収容空間
５９  取付支柱
６１  ケーブル保持手段
６３  ユニット
６５  支持部材
６７  上板部材
６７ａ  上面
６９  下板部材
６９ｂ  下面
７１  案内部材
７３  スライド部材
７５  把持部材
７７  ピン部材
８１  補強手段
８５  ピン部材
８７  受け部材
【図１】
2005209702.tif 000003
【図２】
2005209702.tif 000004
【図３】
2005209702.tif 000005
【図４】
2005209702.tif 000006
【図５】
2005209702.tif 000007
【図６】
2005209702.tif 000008
【図７】
2005209702.tif 000009
【図８】
2005209702.tif 000010
【図９】
2005209702.tif 000011